(57)【特許請求の範囲】
【請求項１】
壁面の定位置に、一端に操作部が形成されかつ他端に操作力伝達部材が連結されるハンドルを離脱可能に取付けるためのハンドルの取付け構造であって、
前記壁面の定位置に固定される固定部材と、
前記ハンドルの一端寄りに設けられた第１突部と、
前記ハンドルの他端寄りに設けられた第２突部と、
前記固定部材に設けられて前記第１突部を開放可能に弾性的に保持する第１爪部と、
前記固定部材に設けられて前記第２突部を開放可能に弾性的に保持する第２爪部と、
を備え、
前記第１爪部が前記第１突部を開放可能な方向は、前記第２突部を支点として前記ハンドルの操作部が持ち上げ操作される方向に設定され、
前記第２爪部が前記第２突部を開放可能な方向は、前記ハンドルの操作部が引き操作される方向に設定され、
前記ハンドルの操作部は、前記壁面との対向面間に所定の指掛け用スペースを形成する
ことを特徴とするハンドルの取付け構造。
【請求項２】
前記ハンドルは、一端側に前記操作部が左右対称的に位置する平面略Ｔ字状に形成し、
前記第１突部は、前記ハンドルの裏面の一端寄りにおける左右方向の中央位置に１つ設け、
前記第２突部は、前記ハンドルの他端寄りにおける左右の位置に計２つ設け、
前記第１爪部は、前記第１突部と対向する前記固定部材の位置に１つ設け、
前記第２爪部は、前記第２突部と対向する前記固定部材の位置に計２つ設けた
ことを特徴とする請求項１に記載のハンドルの取付け構造。
【請求項３】
前記壁面と対向する前記操作部の裏面に、前記指掛け用スペースを拡大する凹部を設けたことを特徴とする請求項１または２に記載のハンドルの取付け構造。
【発明の詳細な説明】
【０００１】
【発明の属する技術分野】
本発明は、壁面の定位置に、ワイヤ等の動作力伝達部材に連結されるハンドルを離脱可能に取付けるためのハンドルの取付け構造に関するものである。
【０００２】
【従来の技術】
壁面の定位置に離脱可能に取付けられるハンドルとしては、例えば、トランクのロック装置に連結されて、自動車のトランクルームの内壁面に離脱可能に取付けられるハンドルがある。このハンドルは、トランクのロック装置におけるロック解除機構にワイヤ等の操作力伝達部材を介して連結され、引き操作されることによりロック解除機構を動作させて、トランクのロックを解除させる。また、このハンドルは、トランクルームの通常時の使用を阻害しないように、トランクルームの内壁面に沿って取付けられる薄型形状とされている。
【０００３】
従来、このようなハンドルをトランクルームなどの壁面に離脱可能に取付ける場合には、面ファスナが用いられている。すなわち、面ファスナを用いて、薄型のハンドルを壁面に密着させるようにして取付ける。ハンドルの使用時には、壁面からハンドルを取外してから、そのハンドルを操作する。
【０００４】
【発明が解決しようとする課題】
しかし、上記従来の取付け構造は、ハンドルをトランクルームなどの壁面に密着させるようにして取付けるため、それらのハンドルと壁面との対向面間には、ハンドルを取外す際に手を掛けるためのスペースを確保することが難しかった。
【０００５】
本発明の目的は、ハンドルを壁面に沿って取付けた上、そのハンドルを取外しやすくして、ハンドルの操作性を向上させることができるハンドルの取付け構造を提供することにある。
【０００６】
【課題を解決するための手段】
本発明のハンドルの取付け構造は、壁面の定位置に、一端に操作部が形成されかつ他端に操作力伝達部材が連結されるハンドルを離脱可能に取付けるためのハンドルの取付け構造であって、前記壁面の定位置に固定される固定部材と、前記ハンドルの一端寄りに設けられた第１突部と、前記ハンドルの他端寄りに設けられた第２突部と、前記固定部材に設けられて前記第１突部を開放可能に弾性的に保持する第１爪部と、前記固定部材に設けられて前記第２突部を開放可能に弾性的に保持する第２爪部と、を備え、前記第１爪部が前記第１突部を開放可能な方向は、前記第２突部を支点として前記ハンドルの操作部が持ち上げ操作される方向に設定され、前記第２爪部が前記第２突部を開放可能な方向は、前記ハンドルの操作部が引き操作される方向に設定され、前記ハンドルの操作部は、前記壁面との対向面間に所定の指掛け用スペースを形成することを特徴とする。
【０００７】
【発明の実施の形態】
以下、本発明の実施形態を図面に基づいて説明する。
【０００８】
本例は、自動車のトランクルームの内壁面に、図２のような平面略Ｔ字状の薄型のハンドル１０を取付けるための取付け構造としての適用例である。ハンドル１０は蛍光を発する材料によって成形されており、その一端（図２中の右端）には、左右対称の操作部１１が形成されている。また、ハンドル１０の他端（図２中の左端）には、柔軟性の操作力伝達部材としてのワイヤ１の先端が連結されており、そのワイヤ１の基端は、トランクのロック装置におけるロック解除機構に連結されている。そして、ハンドル１０がトランクルームの内壁面から取り外された後、その操作部１１が引き操作されることにより、その引き操作力がワイヤ１を介してロック解除機構に伝達されて、トランクのロックが解除される。
【０００９】
ハンドル１０の一端寄りの裏面において、左右方向の中央位置（図２中上下方向の中央位置）には、図１中の左斜め上方に突出する第１突部１２が１つ設けられている。その第１突部１２の先端は、側面視にて略円形をなすように形成されている。また、ハンドル１０の他端寄りにおける左右の側部には、左右の外方に突出する円柱状の左右の第２突部１３，１４が設けられている。ハンドル１０の他端寄りの裏面には連結部１５が設けられており、この連結部１５にワイヤ１の先端が連結される。１Ａは、ワイヤ１の先端に設けられた拡径部であり、連結部１５の連結溝（図示せず）に抜け止めされる。
【００１０】
このようなハンドル１０は、トランクルームの内壁面に固定される固定部材２０に対して、後述するように離脱可能に取付けられる。トランクルームの内壁はパネル２とトリム３によって構成されており、トリム３には、図３のように、固定部材２０の平面形状よりも１回り小さい開口部３Ａが形成されている。また、パネル２には、図１のように第１，第２の取付け穴２Ａ，２Ｂが形成されている。
【００１１】
固定部材２０の裏面には第１，第２の固定爪部２１，２２が設けられており、これらの固定爪部２１，２２は、パネル２の取付け穴２Ａ，２Ｂ内に差し込まれることによって、それらの取付け穴２Ａ，２Ｂに固定される。すなわち、第１の固定爪部２１は、図３中の左右方向に位置するように対を成しており、第１の取付け穴２Ａへの差し込み途中において、互いに近接する方向に一時的に弾性変形され、そして差し込み終了時点にて、図１のように互いに離間する方向に弾性復帰することにより抜け止めされる。一方、第２の固定爪部２２は、図３中の上下方向に位置するように対を成しており、第２の取付け穴２Ｂへの差し込み途中において、互いに近接する方向に一時的に弾性変形され、そして差し込み終了時点にて、図１のように互いに離間する方向に弾性復帰することにより抜け止めされる。また、固定部材２０の裏面には、図２中の左右方向および上下方向に延在するリブ２３が形成されている。このリブ２３は、トリム３の厚みに相当する高さに設定されている。第１，第２の固定爪部２１，２２の弾性変形の方向が図３において９０°ずれて設定されていること、およびリブ２３が設けられていることは、固定部材２０を全方向においてガタ付きなくトランクルームの内壁面に取付ける上において有利となる。
【００１２】
固定部材２０の表面には、ハンドル１０の第１突部１２を開放可能に弾性的に保持する第１爪部２４と、第２突部１３を開放可能に弾性的に保持する左右の第２爪部２５，２６が設けられている。第１爪部２４は、図１のようなハンドル１０の取付け状態において第１突部１２を弾性的に保持しており、ハンドル１０が第２突部１３を支点として図５中の矢印Ａ方向に持ち上げ操作されたときに、弾性変形して第１突部１２を開放する。一方、第２爪部２５，２６は、図１のようなハンドル１０の取付け状態において第２突部１３，１４を弾性的に保持しており、ハンドル１０が図５中の矢印Ｂ方向に引き操作されたときに、弾性変形して第２突部１３，１４を開放する。
【００１３】
さらに、固定部材２０の表面には、ワイヤ１の保持部２７が設けられている。この保持部２７は、ハンドル１０の連結部１５の近傍に位置するワイヤ１の部位を図１および図２中の左右方向にスライド可能に保持する。本例の保持部２７は、図４のような閉空間Ｓを成すように環状に形成されており、その閉空間Ｓ内は、図１および図２中の左右方向に延在して、その内部にてワイヤ１をスライド可能に保持する。
【００１４】
また、ハンドル１０の取付け状態において、操作部１１は、図２のように固定部材２０と対向する位置から外れて、所定の指掛け用スペースを隔ててトリム３、つまりトランクルームの内壁面と対向する。本例の場合、操作部１１の裏面には、図２のように、同図中左側の左右の指掛け部分１１Ａを除くようにリブ１１Ｂが形成されており、そのリブ１１Ｂが形成されていない指掛け部分１１Ａとトリム３との間には、比較的大きな対向間隔Ｌ（図１参照）によって大きな指掛け用スペースが形成されている。結局、トランクルームの内壁面と対向する操作部１１の裏面には、指掛け用スペースを拡大する凹部が形成されていることになる。
【００１５】
次に、ハンドル１０の操作手順について説明する。
【００１６】
まず、図１および図２のようなハンドル１０の取付け状態から、図５中の実線のように、第２突部１３を支点としてハンドル１０の操作部１１を矢印Ａ方向に持ち上げて、第１突部１２を第１爪部２４から外す。その際には、操作部１１の左右の指掛け部分１１Ａとトリム３との間の指掛け用スペースを利用し、その指掛け用スペースに指を掛けて、操作部１１を矢印Ａ方向に持ち上げる。ハンドル１０が平面Ｔ字状であることと、左右の指掛け部分１１Ａとトリム３との間に比較的大きな指掛け用スペースが形成されていること、およびハンドル１０が蛍光を発することから、左右の指掛け部１１Ａにきわめて簡単に指を掛けることができ、しかも操作部１１をトリム３から引き離すように操作することによって、必然的に、図５中の実線のようにハンドル１０がスムーズに持ち上げ操作させることになる。
【００１７】
その後、ハンドル１０を図５中の矢印Ｂ方向に引き操作することによって、図５中の２点鎖線のように、第２突部１３，１４を第２爪部２５、２６から外して、ハンドル１０を固定部材２０から離す。この引き操作は、ハンドル１０をトリム３から引き離す操作によって、先の引き離し操作と連続して行われることになる。
【００１８】
その後、さらにハンドル１０を引き操作することにより、ワイヤ１が矢印Ｃ方向（図５参照）に引かれ、ロック解除機構が動作してトランクのロックを解除する。その際、ワイヤ１を保持する固定部材２０の保持部２７は、ワイヤ１の引き方向を変換することになる。つまり、ハンドル１の引き操作方向の如何に拘わらず、保持部２７からロック解除機構寄りのワイヤ１の部位は正規の矢印Ｃ方向に引かれることになる。したがって、いずれの方向にハンドル１を引き操作したとしても、確実にロック解除機構を動作させることができて、ハンドル１０の操作性が向上する。
【００１９】
また、仮に、固定部材２０から取外されたハンドル１０が操作者の手から離れた場合には、ワイヤ１がハンドル１０の位置を拘束する。すなわち、固定部材２０の保持部２７によって、ハンドル１０の連結部１５近傍におけるワイヤ１の部位が保持されているため、保持部２７と連結部１５との間の比較的短いワイヤ１の部分によって、ハンドル１０の位置が固定部材１０の近傍位置に拘束され、ハンドル１０が固定部材２０から大きく落下したり、大きくずれたりすることが防止される。したがって、ハンドル１０が取付け位置から大きくずれることがなく、ハンドル１０の位置を常に元の取付け位置の近傍に拘束して、そのハンドル１０の操作性を向上させることができる。
【００２０】
（他の実施形態）
ハンドル１０に連結される操作力伝達部材は、柔軟性のワイヤ１のみに限定されず任意であり、柔軟性の部材の他、ハンドル１０の持ち上げ操作を可能とするものであればロッドやプレートなどの剛性の部材であってもよい。
【００２１】
【発明の効果】
以上説明したように、本発明は、壁面に固定される固定部材にハンドルを離脱可能に取付けるために、突部と、その突部を開放可能に弾性的に保持する爪部とを用い、さらにハンドルの操作部と壁面との対向面間に所定の指掛け用スペースを形成することにより、ハンドルを壁面に沿って取付けた上、そのハンドルを取外しやすくして、ハンドルの操作性を向上させることができる。
【００２２】
また、突部および爪部として、ハンドルの持ち上げ操作と引き操作によって段階的に開放動作する第１，第２突部および第１，第２爪部を設けることにより、ハンドルの操作部を壁面から離すように持ち上げて、ハンドルを引き操作しやすい姿勢としてから、そのハンドルを引き操作して固定部材から取外すことができて、さらにハンドルの操作性を向上させることができる。
【００２３】
また、ハンドルを平面略Ｔ字状として、その左右対称位置に、操作部、突部、および爪部を設けることにより、固定部材からのハンドルの取外し操作と、その後のハンドル操作を安定的に実行することができる。
【００２４】
また、壁面と対向する操作部の裏面に凹部を設けて、指掛けスペースを拡大することにより、ハンドルの操作性をさらに向上させることができる。
【図面の簡単な説明】
【図１】本発明の取付け構造によって取付けられた状態のハンドルと固定部材の側面図である。
【図２】図１におけるハンドルおよび固定部材のII矢視図である。
【図３】図１における固定部材のIII矢視図である。
【図４】図１における保持部のIV矢視図である。
【図５】図１にハンドルの操作手順を説明するための側面図である。
【符号の説明】
１  ワイヤ（操作力伝達部材）
１０  ハンドル
１１  操作部
１２  第１突部
１３，１４  第２突部
２０  固定部材
２４  第１爪部
２５，２６  第２爪部
２７  保持部
【図１】
0003844925.tif 000002
【図２】
0003844925.tif 000003
【図３】
0003844925.tif 000004
【図４】
0003844925.tif 000005
【図５】
0003844925.tif 000006